(57)【要約】【課題】果物を包装した包装容器の設置面積、すなわち容器が棚に置かれた際、包装容器の床面積が少なくなる包装容器とし、更に包装容器に入れられた果物が、包装容器とぶつかり合わない包装方法とする。また、包装容器の低コスト化のため、市場で多く用いられている資材を使い、余分な緩衝材を無くした包装容器とし、粒状または房状の果物が包装容器に収められた状態で、運搬時から顧客のハンドリングにより果物が外圧で押しつぶされたりしない包装容器を提供する【解決手段】袋状包装体に果物類を入れ、袋状包装体の開口部を絞り閉じ、その袋状包装体を筒状外装体に装入する。筒状外装体を市販の紙コップにすることで、包装容器の設置面積を少なくし、包装容器に入れられた果物が、容器とぶつかり合わない包装方法である。また、包装容器の低コスト化が図れる。と同時に筒状外装体で包装体の剛性が確保され、果物が押しつぶされない包装容器の提供を実現した。【選択図】図１
2014005041.tif 000002
【特許請求の範囲】
【請求項１】
イチゴ、サクランボ、ぶどう、ミニトマトなど  比較的実が柔らかい、粒状または房状の果物を袋状包装体に入れ、この袋状包装体を筒状外装体に装入する形態の包装容器であり、
袋状包装体に規定数量の果物を入れ、袋状包装体の開口部を絞り閉じ、その開口部の絞り閉じ部分を締めつけ部材で閉じる。その袋状包装体を筒状外装体に装入し、絞り閉じた締めつけ部材の近くに、袋状包装体を挟持し、筒状外装体の一箇所または複数箇所とを接合または結合する、結合部材を設け、筒状外装体に装入した袋状包装体を一体的に結合することを特徴とする果物包装方法及び容器。
【請求項２】
請求項１項において、筒状外装体は筒状外装体の上方にかぶせる蓋を含み、前記蓋部分に袋状包装体の開口部を絞り閉じた部分を、前記蓋部分に設けた放射状切り目部分に通すことで、袋状包装体の開口部を絞り閉じ挟持し、且つ袋状包装体と筒状外装体を一体的に結合することを特徴とする果物包装方法及び容器。
【請求項３】
イチゴ、サクランボ、ぶどう、ミニトマトなど  比較的実が柔らかい、粒状または房状の果物を袋状包装体に入れ、この袋状包装体を筒状外装体に装入する形態の包装容器であり、
袋状包装体に規定数量の果物を入れ、袋状包装体の開口部を絞り閉じ、その開口部の絞り閉じ部分を締めつけ部材で閉じる。その袋状包装体を筒状外装体に装入し、袋状包装体と筒状外装体を結合する締めつけ部材一体型結合部材で、筒状外装体の上方端面に設けた折り込み部分に、締めつけ部材一体型結合部材を結合することを特徴とする果物包装方法及び容器。
【請求項４】
請求項３項において、袋状包装体を挿入する筒状外装体は、形取りされた平板紙であり、粒状または房状の果物を規定数量入れた袋状包装体を、平板紙の筒状外装体で袋状包装体の外形状に沿わせて包み込み、筒状外装体の形取りされた平板紙の両端部分を合わせ、筒状に形成し、その筒状外装体を成型済みの筒状外装体台座に結合させることを特徴とする果物包装方法及び容器である。
【発明の詳細な説明】
【技術分野】
【０００１】
本発明は、イチゴ、サクランボ、ぶどう、ミニトマトなど  比較的実が柔らかく、粒状または房状の果物を包装する包装容器と包装方法に関するものである。
【背景技術】
【０００２】
イチゴ、サクランボ、ぶどう、ミニトマトなど  比較的実が柔らかく  粒状や房状の果物は  比較的底の深い長方形容器に入れ  長方形容器の上方を  透明シートで覆い被せ果物を包装する包装容器が特開２００９−６２０６８号公報である。
この発明は容器内の商品を視認しやすくする発明である。また上蓋は商品を長方形容器に押さえつけて、搬送時のプラスチック容器内での果物のゆれを防いでいる。
現在、イチゴ、サクランボ、ぶどう、ミニトマトなどの生鮮食品の容器は長方形容器がプラスチック容器で中身を透視できる容器形態である。
【０００３】
またイチゴなどのように崩れやすい果物を、果物の1個の形状に合わせてトレイを形成し、熱可塑性合成樹脂薄シートで果物を包み込み、容器を1個毎の形状に合わせて果物を配置して包装する包装容器が特開２００９−９６５４７号公報である。  
この発明は壊れ易い果物を密着状態で収容でき、果物の1個を分離して包装する容器であるため、果物を損傷なく運搬できるようにした容器形態である。
【０００４】
特開２００７−２３０６１８号公報は、ぶどうを房の状態で保持する容器で、ぶどうの房の主茎を容器に挟み込む形態の容器とすることで、果物を容器内で動くことを防止する発明である。
【先行技術文献】
【特許文献】
【０００５】
【特許文献１】特開２００９−６２０６８号公報
【特許文献２】特開２００９−９６５４７号公報
【特許文献３】特開２００７−２３０６１８号公報
【発明の概要】
【発明が解決しようとする課題】
【０００６】
以上に開示された果物の容器類は、果物1個1個を搬送時のゆれを防止し果物の傷つきを防止したり、容器内の果物の様子を確認できる視認性を向上させたり、容器と果物のぶつかり合いを防止する容器形態であった。
これらの容器形態は、商品棚や商品ケースに並べられた際に、容器の設置面積を考慮したものではない。
【０００７】
最近、コンビニエンスストアーの小売店舗の台頭は、果物の生鮮食品も陳列できる包装容器形態にする要望がある。
この要望を満たすには包装容器の設置面積を少なくして、狭い売り場面積を有効に活用する必要がある。
【０００８】
以上の要望を踏まえ、果物を包装した包装容器の設置面積、すなわち容器が棚に置かれた際、包装容器の床面積が少なくなる包装容器とし、更に包装容器に入れられた果物が、包装容器とぶつかり合わない包装方法とする。
【０００９】
また、包装容器の低コスト化のため、市場で多く用いられている資材を使い、余分な緩衝材を無くした包装容器とし、粒状または房状の果物が包装容器に収められた状態で、運搬時から顧客のハンドリングにより果物が外圧で押しつぶされたりしない包装容器を提供することを目的にする。
【課題を解決するための手段】
【００１０】
イチゴ、サクランボ、ぶどう、ミニトマトなど  比較的実が柔らかい、粒状または房状の果物を袋状包装体に入れ、この袋状包装体を筒状外装体に装入する形態の包装容器であり、袋状包装体に規定数量の果物を入れ、袋状包装体の開口部を絞り閉じ、その開口部の絞り閉じ部分を締めつけ部材で閉じる。その袋状包装体を筒状外装体に装入し、絞り閉じた締めつけ部材の近くに、袋状包装体を挟持し、筒状外装体の一箇所または複数箇所を接合または結合する、結合部材を設け、筒状外装体に装入した袋状包装体を一体的に結合することを特徴とする請求項１の果物包装方法及び容器に係る。
【００１１】
このように袋状包装体を筒状外装体を装入し、結合部材で袋状包装体と筒状外装体を一体的に結合する構成とすることで、袋状包装体に入れた果物と筒状外装体とのぶつかり合いをなくすことができ、且つ袋状包装体と筒状外装体の間隙に余分な緩衝材を無くすことができる。このため果物の傷みを少なくできる。
【００１２】
また、袋状包装体に果物を入れることで、果物を複数段の階層に積み重ねて入れられ、且つ、筒状外装体で袋状包装体に入れた階層の積み重ねた形を確保でき、筒状外装体の外周形状が床面積となり、包装容器の床面積が少なくできる。  
【００１３】
筒状外装体で包装体の剛性を確保できる。片手でハンドリングできる筒状外装体の形状は、市販に多く流通する紙コップの資材の活用が可能となる。このため筒状外装体容器の低コスト化が図れる。すなわち筒状外装体で包装体の剛性を増し、ハンドリングを良好にする。
【００１４】
カラム００１０において、筒状外装体は筒状外装体の上方にかぶせる蓋を含み、前記蓋部分に袋状包装体の開口部を絞り閉じた部分を、前記蓋部分に設けた放射状切り目部分に通すことで、袋状包装体の開口部を絞り閉じ挟持し、且つ袋状包装体と筒状外装体を一体的に結合することを特徴とする請求項２の果物包装方法及び容器に係る。
【００１５】
筒状外装体の上方にかぶせる蓋を設けるのは、市販に多く流通する蓋付きの紙コップの資材の活用が可能となり、且つ袋状包装体を締めつけ部材と結合部材が共通化できる。このため筒状外装体の容器の低コスト化が図れる。
【００１６】
イチゴ、サクランボ、ぶどう、ミニトマトなど  比較的実が柔らかい、粒状または房状の果物を袋状包装体に入れ、この袋状包装体を筒状外装体に装入する形態の包装容器であり、
袋状包装体に規定数量の果物を入れ、袋状包装体の開口部を絞り閉じ、その開口部の絞り閉じ部分を締めつけ部材で閉じる。その袋状包装体を筒状外装体に装入し、袋状包装体と筒状外装体を結合する締めつけ部材一体型結合部材で、筒状外装体の上方端面に設けた折り込み部分に、締めつけ部材一体型結合部材を結合することを特徴とする請求項３の果物包装方法及び容器に係る。
【００１７】
筒状外装体の上方端面に折り込み部分を設け、その折込み部分に結合部材を結合することで、袋状包装体の開口部を絞り閉じ、その開口部の絞り閉じ部分を締めつけ部材で挟持した位置の近くに、筒状外装体と結合する位置を配置することができる。
これは袋状包装体の締めつけ部材位置を、筒状外装体のより中心位置にもっていくことができ、果物が詰まった袋状包装体を筒状外装体に挿入し、筒状外装体を置いた際、重心を筒状外装体の中心に持っていくことができ、設置安定性を向上できる。特に房状のぶどうを梱包した場合、設置安定性を向上する効果は顕著である。
【００１８】
カラム００１６において、袋状包装体を挿入する筒状外装体は、形取りされた平板紙であり、粒状または房状の果物を規定数量入れた袋状包装体を、平板紙の筒状外装体で袋状包装体の外形状に沿わせて包み込み、筒状外装体の形取りされた平板紙の両端部分を合わせ、筒状に形成し、その筒状外装体を成型済みの筒状外装体台座に結合させることを特徴とする請求項４の果物包装方法及び容器に係る。
【００１９】
平板紙の筒状外装体で袋状包装体を包み込み、筒状外装体の形取りされた平板紙の両端部分を合わせ、筒状に形成すると、前もって筒状に形成された筒状外装体に比べ、果物の形に合わせた筒状外装体を形作れる。特にぶどうの房ごとを梱包する際は、房の大きさに合わせた対応性のある包装容器にできる。
【発明の効果】
【００２０】
本発明に係る包装容器と包装方法によって、果物の包装容器の設置面積を少なくし、包装容器に入れられた果物が、容器とぶつかり合わない包装方法である。また、市場で多く用いられている資材を使い、包装容器の低コスト化が図れる。同時に筒状外装体で包装体の剛性が確保され、果物が押しつぶされない包装容器を提供することが可能になる。
【図面の簡単な説明】
【００２１】
【図１】図１は実施例１の包装容器１の斜視図である。
【図２】図２は図１の矢示A−Ａ’の断面線で示した、袋状包装体２、筒状外装体３の断面図である。
【図３】図３は図１の結合部材５の一例の平面図である。
【図４】図４は実施例２の包装容器１の斜視図である。
【図５】図５は図４に袋状包装体２を筒状外装体蓋６で挟持している状態の斜視図である。
【図６】図６は図５の包装容器１形態で封止シール７を筒状外装体蓋６に密着させた状態であり、図５の矢示Ｂ−Ｂ’の断面線で示した断面図である。
【図７】図７は実施例３の包装容器１のみの斜視図である。
【図８】図８は図７の矢示Ｃ−Ｃ’の断面線で示した筒状外装体３の断面図である。
【図９】図９は締めつけ部材一体型結合部材８の一例の斜視図である。
【図１０】図１０は締めつけ部材一体型結合部材８を取り付け、袋状包装体２を挟持し、筒状外装体３に袋状包装体２を結合した状態を筒状外装体３のみ断面で示した図である。
【図１１】図１１は実施例４の包装容器で、筒状外装体３を形取りされた平板紙９で構成する形取りされた平面図である。
【図１２】図１２は図１１の平板紙筒状外装部９１が筒状外装体台座１０に結合させる様子の斜視図である。
【図１３】図１３は図１２に袋状包装体２を形取り平板紙９で包み込み、その形取り平板紙９を筒状外装体台座１０の内側に結合し、包装容器１となった斜視図である。
【図１４】図１４は筒状外装体３がゴミ入れになる投入口となる開口切り目１１を実線で示し、破線で示した開口折線１２を設けた斜視図である。
【図１５】図１５は開口切り目１１を、開口折線１２に沿って外側に折り曲げ、ゴミ入れ投入口となる開口開放１１’になった斜視図である。
【発明を実施するための形態】
【００２２】
袋状包装体に果物類を入れ、袋状包装体の開口部を絞り閉じ、その袋状包装体を筒状外装体に装入する。筒状外装体を市販の紙コップで構成することで、包装容器の設置面積を少なくし、包装容器に入れられた果物が、容器とぶつかり合わない包装方法である。また、市販の紙コップを使用することで包装容器の低コスト化が図れる。同時に筒状外装体で包装体の剛性が確保され、果物が押しつぶされない包装容器の提供を実現した。
【実施例１】
【００２３】
果物包装容器と包装方法についての実施例１、即ち請求項１に係わる包装容器１について図１から図３に示す。
図１は第１例の包装容器１の斜視図である。図２は図１の矢示A−Ａ’の断面線で示した、袋状包装体２、筒状外装体３の断面である。図３は、袋状包装体２を挟持し、筒状外装体の一箇所または複数箇所を接合または結合する結合部材５の一例の平面図を示した。
【００２４】
図１において、包装容器１は袋状包装体２に規定数量の果物Ｋを入れ、その袋状包装体２の開口部を絞り閉じ、その開口部の絞り閉じ部分を繊維素材、樹脂素材、ゴムなど弾性素材の紐や針金、針金をプラスチックで被服した柔軟な素材の締めつけ部材４(図２参照)で閉じる。その締めつけ部材４の上方を袋状包装体２で挟持し、筒状外装体３の複数箇所に接合した結合部材５を設けた図である。結合部材５に袋状包装体２を挟持するのは、結合部材開口部５１から袋状包装体２の先方を引き出し、締めつけ部材４上方付近で挟持させる。
【００２５】
図２には、図１の包装容器１状態を矢示A−Ａ’に示した断面線での断面図である。イチゴ、サクランボ、ぶどう、ミニトマトなどの果物Ｋ（丸印）を袋状包装体２内に入れ、締めつけ部材４で袋状包装体２の開口を絞り閉じ、結合部材５の両側にある結合部材折り曲げ部分５４を折り曲げ、結合部材５の両側付近に結合部材左接着部分５２、結合部材右接着部分５３(図３参照)が、筒状外装体３の外周面に接着される。
【００２６】
筒状外装体３は、例えば市販されている通称紙コップを使える。紙コップは飲料用、食品用に数多く使われており、形状、大きさ共、紙コップの製造メーカが供給している。このような既製品を使うことができる。このため、図２の筒状外装体底板３１を設けた筒状外装体３にできる。
【００２７】
因みに紙コップの製造メーカが供給している既製品の大きさの例を示す。筒状外装体３の上方及び下方直径、高さ、容量の順に紙コップ外形の数例を示す。カップ例１、８０ｍｍ、５２ｍｍ、９５ｍｍ、２７８ｍｌ。カップ例２、８５ｍｍ、５９ｍｍ、１１６ｍｍ、４０１ｍｌ。カップ例３、８９ｍｍ、５９ｍｍ、１３６ｍｍ、５１９ｍｌ。このような紙コップは内側には、ポリエチレンなどの樹脂フィルムを貼り付けられた防水効果のものであるが、本発明の筒状外装体３には、防水効果は多くの場合、不要であるため、紙だけの素材でも良好である。
【００２８】
果物Ｋが入った袋状包装体２の外面と、筒状外装体３の内周面が接するようになっている。これは、袋状包装体２の立体形状及び寸法が、筒状外装体３の内周形状及び寸法がほぼ同様な形、または袋状包装体２の立体形状及び寸法が、多少大きめの物を使うことで可能となる。
【００２９】
袋状包装体２の素材は、ポリエチレンフィルムやポリプロピレンフィルムに防曇性を付加したもので、通常、野菜類や果物類の袋状包装資材で良好である。また、穴の開いた袋でも使える。このような袋素材は、引っ張りに強く袋状包装体２に果物類を入れ、絞り閉じると袋状包装体２のフィルムの張力により、袋状包装体２内の果物Ｋを袋状包装体２内で密着状態の包装ができるようになり、果物Ｋ同士のぶつかり合いを無くし、包装することが可能となる。
【００３０】
また図２で、締めつけ部材４と結合部材５に間隔が開いていても、結合部材５の結合部材開口部５１(図3参照)に袋状包装体２が束になって結束されふにゃふにゃしないため、袋状包装体２の上方と結合部材５がぶつかり合うことはない。
筒状外装体３の底板３１と袋状包装体２の間に間隙を持たせてある。これは包装容器１を搬送の際、多少の上下動に対し底板３１に接する果物Ｋがあると、底板３１と果物Ｋがぶつかり合う可能性があり、それを回避するためである。しかし、先に述べたように袋状包装体２の上方と結合部材５がぶつかり合うことがない状態は、筒状外装体３内で袋状包装体２が動かないことであり、底板３１と果物Ｋが接していても問題は無い。
【００３１】
図３は、結合部材５の一例の平面図を示した。結合部材５はおおよそ幅１０〜２０ｍｍで、袋状包装体２を挟持する結合部材開口部５１、その結合部材５を袋状包装体２に接合するため結合部材折り曲げ部分５４と、結合部材左接着部分５２、結合部材右接着部分５３で構成される。結合部材開口部５１は袋状包装体２を挟持しやすくするため、細楕円形の開口切り込み、または直線の切り込みがある。結合部材折り曲げ部分５４の２箇所の間隔は、筒状外装体３の上方直径にほぼ等しい間隔である。結合部材左接着部分５２、結合部材右接着部分５３の接着剤の塗布は、結合部材折り曲げ部分５４を下に折り曲げる場合、平面図の裏面になる。これにより結合部材左接着部分５２、結合部材右接着部分５３の接着剤は筒状外装体３の外周面に接着される。
【実施例２】
【００３２】
果物包装容器と包装方法についての実施例２、即ち請求項２に係わる包装容器１について図４から図６に示す。
【００３３】
図４は、筒状外装体３の上方にかぶせる筒状外装体蓋６をかぶせた様子を斜視図で示した。筒状外装体蓋６の中心部分には蓋部放射状切り目部分６１を設け、蓋部放射状切り目部分６１に袋状包装体２の開口部を絞り閉じた部分を、蓋部放射状切り目部分６１に通すことで、袋状包装体２を筒状外装体蓋６で挟持すると同時に、且つ袋状包装体２と筒状外装体３を一体的に結合される。
【００３４】
図５は、筒状外装体３に袋状包装体２が装入され、袋状包装体２と筒状外装体３が一体的に結合され、袋状包装体２の開放口が飛び出し、袋状包装体２を筒状外装体蓋６で挟持している状態を斜視図で示した。筒状外装体３と筒状外装体蓋６は直接接合されたり、筒状外装体蓋６の外周部の全周または部分的に、筒状外装体３と接着テープで接合されても良い。
【００３５】
図５で、蓋部放射状切り目部分６１に袋状包装体２の開口部を絞り閉じた部分を通した際、袋状包装体２を支える保持力が弱い場合、例えばパン類を包装する袋状包装体の口を絞り閉じる略正方形の樹脂製の結束部材があるが、同様の樹脂製結束部材を蓋部放射状切り目部分６１に取り付け、筒状外装体蓋６の上面に密着させる構成も可能である。これは袋状包装体２を支える保持力を増強させる。
【００３６】
図６は、図５の包装容器１の形態で袋状包装体２の開放口が飛び出ている部分に、封止シール７を密着させた状態を、図５の矢示Ｂ−Ｂ’の断面線で示した断面図で示している。封止シール７は筒状外装体蓋６に密着する面に接着剤を塗布し、袋状包装体２と同時に筒状外装体蓋６に接着される。封止シール７で袋状包装体２と筒状外装体蓋６の接合をより確実にし、且つ袋状包装体２の未開封状態が確認でき、安全性が確保できる。
【実施例３】
【００３７】
果物包装容器と包装方法についての実施例３、即ち請求項３に係わる包装容器１について図７から図１０に示す。
【００３８】
図７は、袋状包装体２と筒状外装体３を締めつけ部材一体型結合部材８（図９参照）で結合するため、筒状外装体３の上方端面に筒状外装体折り込み部分３２を設け、筒状外装体折り込み部分３２を筒状外装体３の内側に折り込んだ状態を示した斜視図である。筒状外装体折り込み部分３２には結合部材貫通穴３３があり、締めつけ部材一体型結合部材８(図９)の結合部材ピン８２(図９)が通され、袋状包装体２と筒状外装体３が結合される。
【００３９】
また図７には、筒状外装体３の側面に筒状外装Ｕ字形カット部分３４を設け、袋状包装体２に透明な素材を使った場合には、中に入った果物の様子が見られる意匠にしている。筒状外装Ｕ字形カット部分３４は、筒状外装体折り込み部分３２と相対する箇所に設けると、外装Ｕ字形カット部分３４から袋状包装体２がはみ出そうとする状態を抑えられる。
【００４０】
また筒状外装体折り込み部分３２は、筒状外装体折り込み部分３２と同形の三角形でのりしろがついた部品を、筒状外装体３の内側に貼り付け、カップの取手が、筒状外装体３の内側に付いたような構成でも、同様な包装容器１とすることができる。
【００４１】
図８は、図７の矢示Ｃ−Ｃ’の断面線で示した筒状外装体３の断面図である。筒状外装体折り込み部分３２が筒状外装体３の内側に折り込まれた状態を示し、結合部材貫通穴３３が筒状外装体中心線３０１に近づいていることを示している。これは袋状包装体２を絞り閉じる、紐締めつけ部材８５（図９参照）を、筒状外装体３のより中心位置にもっていくことができ、果物が詰まった袋状包装体２を筒状外装体３に挿入し、筒状外装体３を陳列棚に置いた際、重心を筒状外装体の中心に持っていける。このため設置安定性を向上できる。特に房状のぶどうを包装した場合、その効果は顕著となる。
【００４２】
図９は、果物などを入れた袋状包装体２を絞り閉じる締め付け部材と、袋状包装体２を挟持し、筒状外装体３の一箇所に結合する結合部材を、一体に構成した締めつけ部材一体型結合部材８の一例の斜視図である。
【００４３】
締めつけ部材一体型結合部材８全体は、可撓性のある樹脂素材で作られるのが良い。それは結合部材左片８１ａにある結合部材ピン８２及び結合部材ピンヘッド８３を、結合部材右片８１ｂにある結合部材ピン穴８４に、先に説明した筒状外装体折り込み部分３２にある結合部材貫通穴３３を通して、結合するのに適している。本例では結合部材ピンヘッド８３が三角錐の形状になっており、三角錐の底辺に相当する直径は、結合部材ピン穴８４の直径より多少大きめに形成されている。このため結合部材ピンヘッド８３を結合部材ピン穴８４に結合すると、結合が外れにくくなる。
【００４４】
締めつけ部材一体型結合部材８には、締めつけ部材片８1ｃ に紐締めつけ部材８５ａ，ｂが取り付けられている。紐締めつけ部材８５ａ，ｂは果物などが入った袋状包装体２を絞り閉じ、その部分を締めつけ部材片８１ｃのＵ字部分に押し当て、結束する。紐締めつけ部材８５ａ，ｂは、リボンなどの装飾性のある素材を使うことで、包装容器１の商品に華やかさを与えることができる。また、この構造にすることで締めつけ部材一体型結合部材８を筒状外装体３に結合させたままで、袋状包装体２の袋口を何度も開閉できる。同様な使い方ができる紐締めつけ部材８５には、一般に流通している、樹脂素材で可撓性のある結束部材とするのは可能である。
【００４５】
図１０は、果物などを入れた袋状包装体２を絞り閉じる、締めつけ部材一体型結合部材８を取り付け、袋状包装体２を挟持し、筒状外装体３に袋状包装体２を結合した状態を、筒状外装体３のみを断面で示した図である。
【００４６】
袋状包装体２を紐締めつけ部材８５で絞り閉じ、結合部材右片８１ｂにある結合部材ピン穴８４に、筒状外装体折り込み部分３２にある結合部材貫通穴３３を通して、結合部材ピンヘッド８３で結合されている。外装Ｕ字形カット部分３４から袋状包装体２の中身が見える状態も示した。
【実施例４】
【００４７】
果物包装容器と包装方法についての実施例４、即ち請求項４に係わる包装容器１について図１１から図１３に示す。
【００４８】
図１１は、袋状包装体２を挿入する筒状外装体３を、形取りされた平板紙９で構成する平面図である。粒状または房状の果物Ｋを規定数量入れた袋状包装体２を、形取りされた平板紙９で平板紙筒状外装部９１（図１２，１３参照）に形成する。この筒状外装体にするには、果物を入れた袋状包装体２の外形状に沿わせて包み込み、形取りされた平板紙９の両端部分を合わせ、平板紙両端接着部９４ａ，ｂで接着し、図１２のように形取りされた平板紙９を筒状にする。
【００４９】
形取りされた平板紙９には、筒状に形成された際、図７に開示した筒状外装Ｕ字形カット部分３４の形になるような、平板紙Ｕ字形カット部分９５がある。また先の例の筒状外装体折り込み部分３２に相当する、平板紙筒状外装部折り込み部分９２と平板紙結合部材貫通穴９３が設けられる。平板紙筒状外装部折り込み部分９２の長さの違う破線は、折込の際の山折り、谷折りを表している。この平板紙筒状外装部折り込み部分９２が折られると、図12に示した平板紙筒状外装部９１の内側に折り込まれる形状になる。
【００５０】
平板紙両端接着部９４ａ，ｂは実線と破線で示してあるのは、両面接着剤のような接着剤が形取りされた平板紙９の表面と裏面に設けられることを表している。これは図１２のように筒状に形成された際、平板紙筒状外装部９１の表面に平板紙両端接着部９４ａ，ｂが接着されるようになっている。
【００５１】
図１２は、形取りされた平板紙９が平板紙両端接着部９４ａ，ｂで接着され筒状に形成され、平板紙筒状外装体折り込み部分９２も折り込まれている形を示しており、太矢印で示した方向に平板紙筒状外装部９１が、筒状外装体台座１０に結合させる様子の斜視図である。平板紙筒状外装部９１は筒状外装体台座１０の内側に結合され、接着剤または接着テープで固定されてもよい。
【００５２】
筒状外装体台座１０は平板紙をまるめて、図１２の筒状外装体台座１０になるように形作られてもよいし、直管の形状でもよい。また規格化された素材として、市販されている紙コップを逆さにして筒状外装体台座１０になるように利用できる。この場合、紙コップにはコップ底のないものを使う。
【００５３】
図１３は、果物の入った袋状包装体２を形取り平板紙９で包み込み、その形取り平板紙９を筒状外装体台座１０の内側に結合し、包装容器となった斜視図である。図では筒状外装体台座１０の内面状態を破線で示した。破線は形取り平板紙９の下方と袋状包装体２の形を示した。これは袋状包装体２が形取り平板紙９より長さが長くても、筒状外装体台座１０の高さを設けることで、設置面に袋状包装体２の下方が接触しないことを示している。この包装方法でも設置面積の少ない包装容器であることを示している。
【００５４】
図１３の包装容器形状にする手順例を以下に述べる。まず形取り平板紙９を図１１のように広げた状態で、平板紙筒状外装部折り込み部分９２の長い破線部分を山折りにし、短い破線部分を谷折りにする。2つの平板紙結合部材貫通穴９３に、図９に示した締めつけ部材一体型結合部材８の結合部材ピンヘッド８３を通し、更に結合部材ピン穴８４に結合部材ピンヘッド８３を通し、締めつけ部材一体型結合部材８と形取り平板紙９を結合する。次に果物の入った袋状包装体２の絞り閉じ部分を締めつけ部材一体型結合部材８の紐締めつけ部材８５ａ，ｂで絞り閉じる。その後、果物の入った袋状包装体２の外形形状に合わせて、形取り平板紙９を図１２のように包み込み円筒状にして、平板紙筒状外装部９１の表面に平板紙両端接着部９４ａ，ｂで接着される。それを筒状外装体台座１０に差し込み、必要に応じ筒状外装体台座１０と平板紙筒状外装部９１を接着する。
【００５５】
図１３の包装容器１から袋状包装体２を取り外すのは、紐締めつけ部材８５をほどくことで可能となる。
【００５６】
図１３の平板紙筒状外装部９１でぶどうの一房を包装容器とする場合、袋状包装体２で包装しない場合が可能である。ぶどうの房の作り方に「にぎり房」がある。この「にぎり房」はぶどう粒同士が密接にあり、房の状態ではぶどう粒のぶらつきがない房である。この様な房では袋状包装体２で包装しなくても、搬送時にぶどう粒がゆれ動かないため、ぶどう房の形状が確保できる。「にぎり房」では紐締めつけ部材８５を直接、ぶどうの穂軸を結合することで、一房包装の包装容器になる。
【００５７】
市販の紙コップにぶどうを房ごと入れる包装容器では、包装容器を置いた際に安定性を向上させるため、筒状外装体台座１０を追加して設ける事も可能である。
【００５８】
図１４には、カラム００２４に述べた図１の包装容器１を示してある。その包装容器１の筒状外装体３の下方位置に、筒状外装体３がゴミ入れとなるゴミ入れ投入口を、実線で示した開口切り目１１と破線で示した開口折線１２を設けた斜視図である。実線で示した開口切り目１１は、筒状外装体３を切り抜いてあり、開口折線１２は開口切り目１１を外側に折り曲げやすくするため、折れ線が施されている。
【００５９】
図１５は実線で示した開口切り目１１を、開口折線１２に沿って外側に折り曲げ、ゴミ入れ投入口となる開口開放１１’になった斜視図である。開口切り目１１を開口開放１１’の状態にすると太矢印で示した部分で、筒状外装体３が部分的に開放される。この開口開放１１’から、袋状包装体２に入った果物を食べた後に出る、果物のヘタや皮などのゴミを投入でき、筒状外装体３がゴミ箱の役割を果たせる。
【産業上の利用可能性】
【００６０】
以上述べた発明において、筒状外装体３の素材は強度を増すために、ダンボールでもその目的を損なうものではない。また筒状外装体３の形状は、四角柱、六角柱であってもよい。包装容器１においては、果物の入った袋状包装体２の開封を守るため、要所に未開封状態を確認できる密封シールを添付する方法も選択できる。袋状包装体２の中身は果物の他に、野菜をカットものや菓子類などへの利用も可能である。
【符号の説明】
【００６１】
１                包装容器
２                袋状包装体
３                筒状外装体
３１              筒状外装体底板
３２              筒状外装体折り込み部分
３３              結合部材貫通穴
３４              筒状外装Ｕ字形カット部分
３０１            筒状外装体中心線
４                袋状包装体の締めつけ部材
５                結合部材
５１              結合部材開口部
５２              結合部材左接着部分
５３              結合部材右接着部分
５４              結合部材折り曲げ部分
６                筒状外装体蓋
６１              蓋部放射状切り目部分
６２              袋状包装体絞り閉じ部分
７                封止シール
８                締めつけ部材一体型結合部材
８１ａ            結合部材左片
８１ｂ            結合部材右片
８1ｃ       
締めつけ部材片
８２              結合部材ピン
８３              結合部材ピンヘッド
８４              結合部材ピン穴    
８５              紐締めつけ部材
９                形取り平板紙
９１              平板紙筒状外装部
９２              平板紙筒状外装部折り込み部分
９３              平板紙結合部材貫通穴
９４ａ，ｂ         平板紙両端接着部
９５              平板紙Ｕ字形カット部分
１０              筒状外装体台座
１１              開口切り目
１１’             開口開放
１２              開口折線  
Ｋ               
果物
【図１】
2014005041.tif 000003
【図２】
2014005041.tif 000004
【図３】
2014005041.tif 000005
【図４】
2014005041.tif 000006
【図５】
2014005041.tif 000007
【図６】
2014005041.tif 000008
【図７】
2014005041.tif 000009
【図８】
2014005041.tif 000010
【図９】
2014005041.tif 000011
【図１０】
2014005041.tif 000012
【図１１】
2014005041.tif 000013
【図１２】
2014005041.tif 000014
【図１３】
2014005041.tif 000015
【図１４】
2014005041.tif 000016
【図１５】
2014005041.tif 000017